(57)【要約】【課題】持ち運びや保管収納が容易な極めて利便性の高い実用的な折り畳み椅子の提供。【解決手段】座部１を支持する脚部材13と背もたれ部２を支持する背部材14とを備えた折り畳み椅子であって、脚部材13は水平ロッド部５・６と水平ロッド部５・６の両端部から夫々垂下する接地ロッド部７・８とで構成される前脚部材３及び後脚部材４の接地ロッド部７・８同士をＸ字状に交差枢着して成り、背部材14は水平支持ロッド部11と水平支持ロッド部11の両端部から垂下し下端部が接地ロッド部８の下端側に枢着される垂直支持ロッド部10とから成り、脚部材13を接地ロッド部７・８同士の枢着部Ａを支点に折り畳むと共に接地ロッド部８と垂直支持ロッド部10との枢着部Ｂを支点に背部材14に近接せしめて折り畳み重合した際、水平ロッド部５・６及び水平支持ロッド部11が握持可能な束ね状態で集束するように枢着部Ａ及び枢着部Ｂの位置を設定する。【選択図】図３
2009285371.tif 000002
【特許請求の範囲】
【請求項１】
座部と背もたれ部と前記座部を支持する脚部材と前記背もたれ部を支持する背部材とを備え、前記脚部材と前記背部材とを扁平状態に折り畳み重合可能な折り畳み椅子であって、前記脚部材は、水平ロッド部とこの水平ロッド部の両端部から夫々垂下する左右の接地ロッド部とで夫々構成される前脚部材及び後脚部材の前記左右の接地ロッド部同士を夫々Ｘ字状に交差枢着して成り、前記背部材は、水平支持ロッド部とこの水平支持ロッド部の両端部から夫々垂下しその下端部が前記後脚部材の前記左右の接地ロッド部にして前記前脚部材の前記左右の接地ロッド部との枢着位置より下端側に夫々枢着される左右の垂直支持ロッド部とから成り、前記脚部材を、前記前脚部材及び前記後脚部材の前記接地ロッド部同士の枢着部を支点に折り畳むと共に前記後脚部材の接地ロッド部と前記背部材の垂直支持ロッド部との枢着部を支点に前記背部材に近接せしめて前記前脚部材と前記後脚部材と前記背部材とを扁平状態に折り畳み重合した際、前記前脚部材及び前記後脚部材の水平ロッド部及び前記背部材の水平支持ロッド部が握持可能な束ね状態で集束するように、前記前脚部材及び前記後脚部材の前記接地ロッド部の長手方向におけるこの接地ロッド部同士の枢着部の位置及び前記後脚部材の接地ロッド部の長手方向におけるこの後脚部材の接地ロッド部と前記背部材の垂直支持ロッド部との枢着部の位置を夫々設定したことを特徴とする折り畳み椅子。
【請求項２】
前記前脚部材及び前記後脚部材の前記接地ロッド部同士の枢着部から前記水平ロッド部までの長さを略同じ長さに設定すると共に、前記後脚部材の前記接地ロッド部と前記背部材の前記垂直支持ロッド部との枢着部から前記後脚部材の前記水平ロッド部までの長さと前記背部材の前記水平支持ロッド部までの長さとを略同じ長さに設定したことを特徴とする請求項１記載の折り畳み椅子。
【請求項３】
前記前脚部材の前記左右の接地ロッド部と前記背部材の前記左右の垂直支持ロッド部とを夫々、一端側が前記前脚部材の前記左右の接地ロッド部にして前記後脚部材の前記左右の接地ロッド部との枢着部より上端側に枢着され他端側が前記背部材の前記左右の垂直支持ロッド部の長手方向中間部に枢着される連結ロッドを介して連結したことを特徴とする請求項１，２のいずれか１項に記載の折り畳み椅子。
【請求項４】
前記前脚部材及び前記後脚部材の左右の接地ロッド部及び前記背部材の左右の垂直支持ロッド部を、夫々前記水平ロッド部若しくは前記水平支持ロッド部に添設状態に重合し得るように内側に折り畳み回動可能に前記水平ロッド部若しくは前記水平支持ロッド部に枢着連結して、前記前脚部材と前記後脚部材と前記背部材とを扁平状態に折り畳み重合した後、前記左右の接地ロッド部及び前記左右の垂直支持ロッド部を前記水平ロッド部及び前記水平支持ロッド部に添設するように内側に折り畳み回動することで、前記脚部材及び前記背部材を束ね状態に集束し得るように構成したことを特徴とする請求項１〜３のいずれか１項に記載の折り畳み椅子。
【請求項５】
前記前脚部材及び前記後脚部材の前記水平ロッド部間にシート状の前記座部を架設し、前記背部材の前記水平支持ロッド部と前記前脚部材の前記水平ロッド部との間にシート状の前記背もたれ部を架設したことを特徴とする請求項１〜４のいずれか１項に記載の折り畳み椅子。
【請求項６】
前記前脚部材及び前記後脚部材が開脚した状態では前記前脚部材の前記水平ロッド部が前記背部材の前記左右の垂直支持ロッド部若しくは前記前脚部材の前記左右の接地ロッド部と前記背部材の前記左右の垂直支持ロッド部とを夫々連結する一端側が前記前脚部材の前記左右の接地ロッド部にして前記後脚部材の前記左右の接地ロッド部との枢着位置より上端側に枢着され他端側が前記背部材の前記左右の垂直支持ロッド部の長手方向中間部に枢着される連結ロッドと当接してこの背部材の前記後脚部材側への回動を阻止するように構成したことを特徴とする請求項１〜５のいずれか１項に記載の折り畳み椅子。
【発明の詳細な説明】
【技術分野】
【０００１】
本発明は、折り畳み椅子に関するものである。
【背景技術】
【０００２】
従来から、例えば図１，２に図示したように、座部41と、この座部41の後方に設けられる背もたれ部42と、座部41を支持する枠状の前脚部材45及び後脚部材46と、背もたれ部42を支持する枠状の背部材44とを備え、前脚部材45と後脚部材46とは左右の垂直ロッド部がＸ字状に交差枢着され、前脚部材45の左右の垂直ロッド部の上端部に背部材44の左右の垂直ロッド部の下端部が夫々枢着され、前脚部材45と後脚部材46とを枢着部Ｘを支点に折り畳むと共に前脚部材45の左右の垂直ロッド部と背部材44の左右の垂直ロッド部との枢着部Ｙを支点に背部材を前方に垂下回動することで、前脚部材45と後脚部材46と背部材44とを扁平状態に折り畳み重合可能な折り畳み椅子が知られている（特許文献１参照）。尚、図２では座部41及び背もたれ部42は省略している。
【０００３】
【特許文献１】実用新案登録第３０２８４１９号公報
【発明の開示】
【発明が解決しようとする課題】
【０００４】
しかしながら、上述のような従来の折り畳み椅子は、扁平状態となることで厚さは薄くなるものの、持ち運びや保管収納等に未だ不便な場合もあり、更なる利便性の向上が要望されているのが現状である。
【０００５】
本発明は、上述のような現状に鑑みなされたもので、従来の折り畳み椅子より持ち運びや保管収納が容易な極めて利便性の高い極めて実用的な折り畳み椅子を提供するものである。
【課題を解決するための手段】
【０００６】
添付図面を参照して本発明の要旨を説明する。
【０００７】
座部１と背もたれ部２と前記座部１を支持する脚部材13と前記背もたれ部２を支持する背部材14とを備え、前記脚部材13と前記背部材14とを扁平状態に折り畳み重合可能な折り畳み椅子であって、前記脚部材13は、水平ロッド部５・６とこの水平ロッド部５・６の両端部から夫々垂下する左右の接地ロッド部７・８とで夫々構成される前脚部材３及び後脚部材４の前記左右の接地ロッド部７・８同士を夫々Ｘ字状に交差枢着して成り、前記背部材14は、水平支持ロッド部11とこの水平支持ロッド部11の両端部から夫々垂下しその下端部が前記後脚部材４の前記左右の接地ロッド部８にして前記前脚部材３の前記左右の接地ロッド部７との枢着位置より下端側に夫々枢着される左右の垂直支持ロッド部10とから成り、前記脚部材13を、前記前脚部材３及び前記後脚部材４の前記接地ロッド部７・８同士の枢着部Ａを支点に折り畳むと共に前記後脚部材４の接地ロッド部８と前記背部材14の垂直支持ロッド部10との枢着部Ｂを支点に前記背部材14に近接せしめて前記前脚部材３と前記後脚部材４と前記背部材14とを扁平状態に折り畳み重合した際、前記前脚部材３及び前記後脚部材４の水平ロッド部５・６及び前記背部材14の水平支持ロッド部11が握持可能な束ね状態で集束するように、前記前脚部材３及び前記後脚部材４の前記接地ロッド部７・８の長手方向におけるこの接地ロッド部７・８同士の枢着部Ａの位置及び前記後脚部材４の接地ロッド部８の長手方向におけるこの後脚部材４の接地ロッド部８と前記背部材14の垂直支持ロッド部10との枢着部Ｂの位置を夫々設定したことを特徴とする折り畳み椅子に係るものである。
【０００８】
また、前記前脚部材３及び前記後脚部材４の前記接地ロッド部７・８同士の枢着部Ａから前記水平ロッド部５・６までの長さを略同じ長さに設定すると共に、前記後脚部材４の前記接地ロッド部８と前記背部材14の前記垂直支持ロッド部10との枢着部Ｂから前記後脚部材４の前記水平ロッド部６までの長さと前記背部材14の前記水平支持ロッド部11までの長さとを略同じ長さに設定したことを特徴とする請求項１記載の折り畳み椅子に係るものである。
【０００９】
また、前記前脚部材３の前記左右の接地ロッド部７と前記背部材14の前記左右の垂直支持ロッド部10とを夫々、一端側が前記前脚部材３の前記左右の接地ロッド部７にして前記後脚部材４の前記左右の接地ロッド部８との枢着部Ａより上端側に枢着され他端側が前記背部材14の前記左右の垂直支持ロッド部10の長手方向中間部に枢着される連結ロッド12を介して連結したことを特徴とする請求項１，２のいずれか１項に記載の折り畳み椅子に係るものである。
【００１０】
また、前記前脚部材３及び前記後脚部材４の左右の接地ロッド部７・８及び前記背部材14の左右の垂直支持ロッド部10を、夫々前記水平ロッド部５・６若しくは前記水平支持ロッド部11に添設状態に重合し得るように内側に折り畳み回動可能に前記水平ロッド部５・６若しくは前記水平支持ロッド部11に枢着連結して、前記前脚部材３と前記後脚部材４と前記背部材14とを扁平状態に折り畳み重合した後、前記左右の接地ロッド部７・８及び前記左右の垂直支持ロッド部10を前記水平ロッド部５・６及び前記水平支持ロッド部11に添設するように内側に折り畳み回動することで、前記脚部材13及び前記背部材14を束ね状態に集束し得るように構成したことを特徴とする請求項１〜３のいずれか１項に記載の折り畳み椅子に係るものである。
【００１１】
また、前記前脚部材３及び前記後脚部材４の前記水平ロッド部５・６間にシート状の前記座部１を架設し、前記背部材14の前記水平支持ロッド部11と前記前脚部材３の前記水平ロッド部５との間にシート状の前記背もたれ部２を架設したことを特徴とする請求項１〜４のいずれか１項に記載の折り畳み椅子に係るものである。
【００１２】
また、前記前脚部材３及び前記後脚部材４が開脚した状態では前記前脚部材３の前記水平ロッド部５が前記背部材14の前記左右の垂直支持ロッド部10若しくは前記前脚部材３の前記左右の接地ロッド部７と前記背部材14の前記左右の垂直支持ロッド部10とを夫々連結する一端側が前記前脚部材３の前記左右の接地ロッド部７にして前記後脚部材４の前記左右の接地ロッド部８との枢着位置より上端側に枢着され他端側が前記背部材14の前記左右の垂直支持ロッド部10の長手方向中間部に枢着される連結ロッド12と当接してこの背部材14の前記後脚部材４側への回動を阻止するように構成したことを特徴とする請求項１〜５のいずれか１項に記載の折り畳み椅子に係るものである。
【発明の効果】
【００１３】
本発明は上述のように構成したから、従来の折り畳み椅子より持ち運びや保管収納が容易な極めて利便性の高い極めて実用的な折り畳み椅子となる。
【発明を実施するための最良の形態】
【００１４】
好適と考える本発明の実施形態（発明をどのように実施するか）を、図面に基づいて本発明の作用を示して簡単に説明する。
【００１５】
脚部材13を、前脚部材３及び後脚部材４の接地ロッド部７・８同士の枢着部Ａを支点に折り畳むと共に後脚部材４の接地ロッド部８と背部材14の垂直支持ロッド部10との枢着部Ｂを支点に背部材14に近接せしめて前脚部材３と後脚部材４と背部材14とを扁平状態に折り畳み重合すると、前脚部材３及び後脚部材４の水平ロッド部５・６及び背部材14の水平支持ロッド部11がその長手方向が揃った握持可能な束ね状態で集束する。
【００１６】
即ち、脚部材13と背部材14とを扁平状態に折り畳み重合した際、前脚部材３及び後脚部材４の水平ロッド部５・６及び背部材14の水平支持ロッド部11がバラけずに近接若しくは当接して密集した束ね状態となり、水平ロッド部５・６及び水平支持ロッド部11を片手でまとめて握持して簡単に持ち運ぶことが可能となる。
【００１７】
例えば上記従来の構成では、扁平状態に折り畳み重合しても水平ロッド部は夫々バラけて密集せず束ね状態とならないため、これらをまとめて握持することは難しく、それだけ持ち運びが厄介となる。即ち、図２に図示したように整列せずにバラバラの水平ロッド部を握持する際には、３本全てをまとめて安定的に握持することが難しく通常１本若しくは２本を握持することになるが、この場合、握持していない部材が不意に開き回動する可能性もある。この点、本発明は、水平ロッド部５・６及び水平支持ロッド部11を容易にまとめて片手で握持することが可能で、部材が開き回動するおそれもなく極めて安定的に片手で持ち運ぶことが可能となり、極めて運搬性に秀れたものとなる。
【００１８】
また、前脚部材３と後脚部材４と背部材14とを単に折り畳むだけで、枢着部Ａ，Ｂを支点に回動する前脚部材３と後脚部材４と背部材14とは自動的に上記束ね状態となる整列位置関係となり、何ら特別な操作を必要とせずに極めて容易に水平ロッド部５・６及び水平支持ロッド部11を整列させることが可能となる。
【００１９】
また、前脚部材３と後脚部材４と背部材14とを折り畳み重合し、水平ロッド部５・６及び水平支持ロッド部11が束ね状態に並設されると、前脚部材３と後脚部材４と背部材14とが共に下向きコ字状体であることから、接地ロッド部７・８及び垂直支持ロッド部10も同様に束ね状態となり、全体として下向きコ字状シルエットの非常にスマートな形態となりそれだけ保管収納が容易となる。
【００２０】
また、例えば、前記前脚部材３の前記左右の接地ロッド部７と前記背部材14の前記左右の垂直支持ロッド部10とを夫々、一端側が前記前脚部材３の前記左右の接地ロッド部７にして前記後脚部材４の前記左右の接地ロッド部８との枢着部Ａより上端側に枢着され他端側が前記背部材14の前記左右の垂直支持ロッド部10の長手方向中間部に枢着される連結ロッド12を介して連結した場合には、前記連結ロッド12により前脚部材３と背部材14とがリンクすることになり、例えば後脚部材４を背部材14側に枢着部Ｂを支点に回動したり、前脚部材３と後脚部材４との枢着部Ａを支点に閉塞回動したり、前脚部材３を上方に持ち上げたりするだけで、各部材を連動回動させて前脚部材３と後脚部材４と背部材14とを束ね状態とすることが可能となる。
【００２１】
また、例えば、前記前脚部材３及び前記後脚部材４の左右の接地ロッド部７・８及び前記背部材14の左右の垂直支持ロッド部10を、夫々前記水平ロッド部５・６若しくは前記水平支持ロッド部11に添設状態に重合し得るように内側に折り畳み回動可能に前記水平ロッド部５・６若しくは前記水平支持ロッド部11に枢着連結して、前記前脚部材３と前記後脚部材４と前記背部材14とを扁平状態に折り畳み重合した後、前記左右の接地ロッド部７・８及び前記左右の垂直支持ロッド部10を前記水平ロッド部５・６及び前記水平支持ロッド部11に添設するように内側に折り畳み回動することで、前記脚部材13及び前記背部材14を束ね状態に集束し得るように構成した場合には、前脚部材３と後脚部材４と背部材14とを単に扁平状態に折り畳み重合して水平ロッド部５・６及び水平支持ロッド部11を束ね状態とするだけでなく、接地ロッド部７・８及び垂直支持ロッド部10を水平ロッド部５・６及び水平支持ロッド部11に添設重合して接地ロッド部７・８及び垂直支持ロッド部10も水平ロッド部５・６及び水平支持ロッド部11と共に束ね状熊とすることができ、非常にコンパクトで狭いスペースに保管収納可能となり、また、片手で抱えながら運搬も容易に行え、更に例えば細長い袋に収納して各部材の開き回動を阻止した状態で容易に運搬・保管収納することも可能となる。
【実施例】
【００２２】
本発明の具体的な実施例について図３〜８に基づいて説明する。
【００２３】
本実施例は、図３，４に図示したように座部１とこの座部１の背面側に立設される背もたれ部２と前記座部１を支持する脚部材13と前記背もたれ部２を支持する背部材14とを備え、前記脚部材13と前記背部材14とを扁平状態に折り畳み重合可能な折り畳み椅子であって、前記脚部材13は、水平ロッド部５・６とこの水平ロッド部５・６の両端部から夫々垂下する左右の接地ロッド部７・８とで夫々構成される前脚部材３及び後脚部材４の前記左右の接地ロッド部７・８同士を夫々Ｘ字状に交差枢着して成り、前記背部材14は、水平支持ロッド部11とこの水平支持ロッド部11の両端部から夫々垂下しその下端部が前記後脚部材４の前記左右の接地ロッド部８にして前記前脚部材３の前記左右の接地ロッド部７との枢着位置より下端側に夫々枢着される左右の垂直支持ロッド部10とから成り、前記脚部材13を、前記前脚部材３及び前記後脚部材４の前記接地ロッド部７・８同士の枢着部Ａを支点に折り畳むと共に前記後脚部材４の接地ロッド部８と前記背部材14の垂直支持ロッド部10との枢着部Ｂを支点に前記背部材14に近接せしめて前記前脚部材３と前記後脚部材４と前記背部材14とを扁平状態に折り畳み重合した際、前記前脚部材３及び前記後脚部材４の水平ロッド部５・６及び前記背部材14の水平支持ロッド部11が握持可能な束ね状態で集束するように、前記前脚部材３及び前記後脚部材４の前記接地ロッド部７・８の長手方向におけるこの接地ロッド部７・８同士の枢着部Ａの位置及び前記後脚部材４の接地ロッド部８の長手方向におけるこの後脚部材４の接地ロッド部８と前記背部材14の垂直支持ロッド部10との枢着部Ｂの位置を夫々設定したものである。尚、図５〜８においては座部１及び背もたれ部２は省略している。
【００２４】
本実施例においては、前記前脚部材３及び前記後脚部材４の前記接地ロッド部７・８同士の枢着部Ａから前記水平ロッド部５・６までの長さを略同じ長さに設定すると共に、前記後脚部材４の前記接地ロッド部８と前記背部材14の前記垂直支持ロッド部10との枢着部Ｂから前記後脚部材４の前記水平ロッド部６までの長さと前記背部材14の前記水平支持ロッド部11までの長さとを略同じ長さに設定している。尚、本実施例においては、接地ロッド部の下端部が座部１の前方側に接地する方を前脚部材３とし後方側に接地する方を後脚部材４としている。
【００２５】
また、本実施例においては、折り畳み重合した際、図５に図示したように、水平ロッド部５・６及び水平支持ロッド部11が前後に並設して略一直線状の束ね状態となるように設定しているが、一直線状に限らず、スター状（三角形状）等、他の形状で束ね状態となるように設定しても良い。また、水平ロッド部５・６及び水平支持ロッド部11は、束ね状態では隣り合う部材の後記連結部15が夫々近接（若しくは当接）するように構成している。
【００２６】
尚、前記前脚部材３及び前記後脚部材４の前記接地ロッド部７・８同士の枢着部Ａから前記水平ロッド部５・６までの長さとは、図５に図示したような、接地ロッド部７・８同士の枢着軸18の中心を通る水平ロッド部５・６及び水平支持ロッド部11の並設方向と平行な基準線Ｌから水平ロッド部５・６までの長さをいい、前記後脚部材４の前記接地ロッド部８と前記背部材14の前記垂直支持ロッド部10との枢着部Ｂから前記後脚部材４の前記水平ロッド部６までの長さと前記背部材14の前記水平支持ロッド部11までの長さとは、図５に図示したような、接地ロッド部８と垂直支持ロッド部10との枢着軸18の中心を通る水平ロッド部５・６及び水平支持ロッド部11の並設方向と平行な基準線Ｍから水平ロッド部６及び水平支持ロッド部11までの長さをいう。また、略同じ長さとは、水平ロッド部５・６若しくは水平支持ロッド部11の径（本実施例においてはいずれも同径に設定している。）程度の差を含む長さをいう。
【００２７】
また、前記前脚部材３及び前記後脚部材４の前記水平ロッド部５・６及び前記背部材14の前記水平支持ロッド部11は、前後に並設して略一直線状となる束ね状態で片手で握持可能な夫々同一の径に設定している。従って、扁平状態に折り畳み重合した際、より確実に且つ安定的に片手で持ち運び可能となる。
【００２８】
また、前記前脚部材３の前記左右の接地ロッド部７と前記背部材14の前記左右の垂直支持ロッド部10とを夫々、一端側が前記前脚部材３の前記左右の接地ロッド部７にして前記後脚部材４の前記左右の接地ロッド部８との枢着部Ａより上端側に枢着され他端側が前記背部材14の前記左右の垂直支持ロッド部10の長手方向中間部に枢着される連結ロッド12を介して連結している。
【００２９】
具体的には、連結ロッド12は逆さへ字状体であり、一端部を前脚部材３の左右の接地ロッド部７にして後脚部材４の左右の接地ロッド部８との枢着部Ａから前脚部材３の上端までのほぼ中間位置に枢着し、他端部を背部材14の左右の垂直支持ロッド部10の長手方向にして開脚状態の前脚部材３の水平ロッド部５より僅かに下方位置に枢着している。
【００３０】
従って、前脚部材３と後脚部材４と背部材14とは夫々が相互に連動（リンク）することになり、いずれかの部材を他の部材に対して枢着部Ａ，Ｂを支点に閉塞回動（近接回動）することで前脚部材３と後脚部材４と背部材14とが連動して全ての部材が折り畳み重合状態となる。
【００３１】
尚、図中、符号18は各部材の枢着部分に設けた貫通孔を貫通する軸部とこの貫通孔を貫通しない軸部の両端に設けられる径大端部とから成り各部材を枢着連結する枢着軸、19は後脚部材４の接地ロッド部８に設けた枢着軸取付部、20は接地ロッド部７・８の下端部に設けられるキャップである。
【００３２】
また、前記前脚部材３及び前記後脚部材４が開脚した状態では前記前脚部材３の前記水平ロッド部５が前記背部材14の前記左右の垂直支持ロッド部10及び連結ロッド12と当接してこの背部材14の前記後脚部材４側への回動を阻止するように構成している。
【００３３】
従って、脚部材13が開脚する使用状態では背部材14の後脚部材４の接地ロッド部８との枢着部を支点とする閉塞回動が阻止（ロック）されることになる。即ち、前脚部材３と後脚部材４と背部材14とを折り畳み重合する際には、この前脚部材３の水平ロッド部５を前記垂直支持ロッド部10及び連結ロッド12から離した状態（前脚部材３を少し上方に持ち上げた状態）で各部材を閉塞回動させる必要がある。即ち、座部１に着座した状態では前脚部材３の水平ロッド部５によりロックされて脚部材13及び背部材14が折り畳み重合されないことになる。
【００３４】
尚、本実施例においては前脚部材３の水平ロッド部５が前記垂直支持ロッド部10及び連結ロッド12の双方に当接することで背部材14の閉塞回動を阻止する構成としているが、前記垂直支持ロッド部10若しくは前記連結ロッド12のいずれかに当接することで阻止する構成としても良い。
【００３５】
また、前記前脚部材３及び前記後脚部材４の前記水平ロッド部５・６間に布製若しくはビニール製のシート状の前記座部１を架設し、前記背部材14の前記水平支持ロッド部11と前記前脚部材３の前記水平ロッド部５との間に布製若しくはビニール製のシート状の前記背もたれ部２を架設している。
【００３６】
具体的には、シート状の座部１の前後両端部には、前脚部材３及び後脚部材４の水平ロッド部５・６に被嵌される被嵌部23が設けられ、また、シート状の背もたれ部２の後端部（上端部）には、背部材14の水平支持ロッド部11に被嵌される被嵌部24が設けられ、前端部（下端部）はシート状の座部１の後端側寄り位置に取り付け（縫い付け）られている。本実施例においては、各被嵌部23・24を水平ロッド部５・６及び水平支持ロッド部11に被嵌せしめることで、適宜な張力で座部１が水平ロッド部５・６間に張設され背もたれ部２が水平ロッド部５と水平支持ロッド部11との間に張設されるように構成している。
【００３７】
尚、本実施例においては、上述のように背もたれ部２は直接水平ロッド部５と接触する構成ではなく、水平ロッド部５に後端部の被嵌部が被嵌せしめられる座部１を介して架設されるものであるが、この場合にも水平ロッド部５と水平支持ロッド部11との間に架設しているものとしている。従って、例えばシート状の背もたれ部２の前後両端部に水平支持ロッド部11と水平ロッド部５に夫々被嵌される被嵌部を設け、座部１の後端部をこの背もたれ部２の下端側寄り位置に取り付けた（縫い付けた）場合であっても座部１は水平ロッド部５・６間に架設されたものとする。
【００３８】
また、図６〜８に図示したように、前記前脚部材３及び前記後脚部材４の左右の接地ロッド部７・８及び前記背部材14の左右の垂直支持ロッド部10を、夫々前記水平ロッド部５・６若しくは前記水平支持ロッド部11に添設状態に重合し得るように内側に折り畳み回動可能に前記水平ロッド部５・６若しくは前記水平支持ロッド部11に枢着して、前記前脚部材３と前記後脚部材４と前記背部材14とを扁平状態に折り畳み重合した後、前記左右の接地ロッド部７・８及び前記左右の垂直支持ロッド部10を前記水平ロッド部５・６及び前記水平支持ロッド部11に添設するように内側に折り畳み回動することで、前記脚部材13及び前記背部材14を束ね状態に集束し得るように構成している。
【００３９】
具体的には、接地ロッド部７・８及び垂直支持ロッド部10は水平ロッド部５・６若しくは前記水平支持ロッド部11に、接地ロッド部７・８若しくは垂直支持ロッド部10の上端部に被嵌されて固定連結される垂直被嵌部21と水平ロッド部５・６及び水平支持ロッド部11の左端部若しくは右端部に被嵌されて枢着連結される水平被嵌部22とから成る側面視Ｌ字状の連結部15を介して枢着連結されている。この水平被嵌部22の上方には水平ロッド部５・６若しくは水平支持ロッド部11の通過を許容する開放部25が設けられ、水平被嵌部22に設けた水平ロッド部５・６若しくは水平支持ロッド部11に貫通（若しくは挿通）する枢着軸16（枢着部分に設けた貫通孔を貫通する軸部とこの貫通孔を貫通しない軸部の両端に設けられる径大端部とから成る）を支点に、開放部25から水平ロッド５・６若しくは水平支持ロッド11を通過させつつ内側（水平ロッド５・６若しくは水平支持ロッド11の長手方向中央側）に傾倒回動可能に構成している。尚、図中、符号17は垂直被嵌部21に設けた接地ロッド部７・８若しくは垂直支持ロッド部10に貫通（若しくは挿通）して両者を連結固定する固定軸である。
【００４０】
従って、水平ロッド部５・６若しくは水平支持ロッド部11に対して垂直状態の垂直被嵌部21を水平ロッド部５・６若しくは水平支持ロッド部11と平行になるように、連結部15の枢着軸16を支点に接地ロッド部７・８及び垂直支持ロッド部10を内側に傾倒回動させて水平ロッド部５・６及び水平支持ロッド部11に添設させることが可能となり、前脚部材３と後脚部材４と背部材14とを単に扁平状態に折り畳み重合するだけでなく、接地ロッド部７・８及び垂直支持ロッド部10を水平ロッド部５・６及び水平支持ロッド部11に添設重合して脚部材13及び背部材14を全て束ね状態とすることが可能となる。
【００４１】
尚、本実施例の各部材は、いずれも金属製や合成樹脂製等、適宜な材料で形成できる。また、脚部材13及び背部材14を構成する各ロッド部は、パイプ状としても杆状としても良い。
【００４２】
本実施例は上述のように構成したから、脚部材13を、前脚部材３及び後脚部材４の接地ロッド部７・８同士の枢着部Ａを支点に折り畳むと共に後脚部材４の接地ロッド部８と背部材14の垂直支持ロッド部10との枢着部Ｂを支点に背部材14に近接せしめて前脚部材３と後脚部材４と背部材14とを扁平状態に折り畳み重合すると、前脚部材３及び後脚部材４の水平ロッド部５・６及び背部材14の水平支持ロッド部11が前後に並設して略一直線状の握持可能な束ね状態で集束する。
【００４３】
即ち、脚部材13と背部材14とを扁平状態に折り畳み重合した際、前脚部材３及び後脚部材４の水平ロッド部５・６及び背部材14の水平支持ロッド部11がバラけずに近接若しくは当接して密集した束ね状態となり、水平ロッド部５・６及び水平支持ロッド部11を片手でまとめて握持して簡単に持ち運ぶことが可能となる。
【００４４】
また、前脚部材３と後脚部材４と背部材14とを単に折り畳むだけで、枢着部Ａ，Ｂを支点に回動する前脚部材３と後脚部材４と背部材14とは自動的に上記所定の整列位置関係となり、何ら特別な操作を必要とせずに極めて容易に水平ロッド部５・６及び水平支持ロッド部11を整列させることが可能となる。
【００４５】
また、前脚部材３と後脚部材４と背部材14とを折り畳み重合し、水平ロッド部５・６及び水平支持ロッド部11が束ね状態に並設されると、前脚部材３と後脚部材４と背部材14とが共に下向きコ字状体であることから、接地ロッド部７・８及び垂直支持ロッド部10も同様に束ね状態となり、全体として下向きコ字状シルエットの非常にスマートな形態となりそれだけ保管収納が容易となる。
【００４６】
また、連結ロッド12により前脚部材３と背部材14とがリンクすることになり、例えば後脚部材４を背部材14側に枢着部Ｂを支点に回動したり、前脚部材３と後脚部材４との枢着部Ａを支点に閉塞回動したり、前脚部材３を上方に持ち上げたりするだけで、各部材を連動回動させて前脚部材３と後脚部材４と背部材14とを束ね状態とすることが可能となる。
【００４７】
また、前脚部材３と後脚部材４と背部材14とを単に扁平状態に折り畳み重合して水平ロッド部５・６及び水平支持ロッド部11を束ね状態とするだけでなく、接地ロッド部７・８及び垂直支持ロッド部10を水平ロッド部５・６及び水平支持ロッド部11に添設重合して接地ロッド部７・８及び垂直支持ロッド部10も水平ロッド部５・６及び水平支持ロッド部11と共に束ね状熊とすることができ、非常にコンパクトで狭いスペースに保管収納可能となり、また、片手で抱えながら運搬も容易に行え、更に例えば細長い袋に収納して各部材の開き回動を阻止した状態で容易に運搬・保管収納することも可能となる。
【００４８】
よって、本実施例は、従来の折り畳み椅子より持ち運びや保管収納が容易な極めて利便性の高い極めて実用的なものとなる。
【００４９】
本発明は、本実施例に限られるものではなく、各構成要件の具体的構成は適宜設計し得るものである。
【図面の簡単な説明】
【００５０】
【図１】従来例の概略説明斜視図である。
【図２】従来例の概略説明斜視図である。
【図３】本実施例の概略説明斜視図である。
【図４】本実施例の概略説明側面図である。
【図５】本実施例の概略説明側面図である。
【図６】本実施例の要部の拡大概略説明斜視図である。
【図７】本実施例の要部の拡大概略説明正面図である。
【図８】本実施例の概略説明斜視図である。
【符号の説明】
【００５１】
１  座部
２  背もたれ部
３  前脚部材
４  後脚部材
５・６  水平ロッド部
７・８  接地ロッド部
10  垂直支持ロッド部
11  水平支持ロッド部
12  連結ロッド
13  脚部材
14  背部材
Ａ  （接地ロッド部同士の）枢着部
Ｂ  （後脚部材の接地ロッドと背部材の垂直支持ロッドとの）枢着部
【図１】
2009285371.tif 000003
【図２】
2009285371.tif 000004
【図３】
2009285371.tif 000005
【図４】
2009285371.tif 000006
【図５】
2009285371.tif 000007
【図６】
2009285371.tif 000008
【図７】
2009285371.tif 000009
【図８】
2009285371.tif 000010